(57)【要約】【課題】ユーザの機器操作を必要とせずに、ユーザの本質的な嗜好や嗜好傾向の変化に合った音声コンテンツのプレイリストを自動生成すること。【解決手段】音声再生部１１、発声行動認識部１２、嗜好度判定部１４を備え、音声コンテンツに合わせてユーザが行うハミングやスキャット、口笛、リズムカウントなどの発声行動を認識することにより、音声コンテンツに対するユーザの嗜好度を判定し、嗜好度の高い音声コンテンツをプレイリストに追加し、嗜好度が低くなった音声コンテンツをプレイリストから削除する。【選択図】図１
2006331533.tif 000002
【特許請求の範囲】
【請求項１】
音声コンテンツを再生する音声再生部と、
ユーザが音声コンテンツに合わせて行う発声行動を認識する発声行動認識部と、
前記発声行動認識部が認識したユーザの発声行動に応じて音声コンテンツに対するユーザの嗜好度を決定する嗜好度判定部とを備えた音声コンテンツ自動選択装置。
【請求項２】
音声コンテンツを再生する音声再生部と、
ユーザが音声コンテンツに合わせて行う発声行動を認識する発声行動認識部と、
前記発声行動認識部が認識したユーザの発声行動に応じて音声コンテンツに対するユーザの嗜好度を決定する嗜好度判定部と、
前記嗜好度判定部が決定したユーザの嗜好度が閾値を超えた音声コンテンツをプレイリストに追加するプレイリスト作成部とを備えた音声コンテンツ自動選択装置。
【請求項３】
音声コンテンツを再生する音声再生部と、
ユーザが音声コンテンツに合わせて行う発声行動を認識する発声行動認識部と、
音声コンテンツに対するユーザの嗜好度を保存する嗜好度データベースと、
前記発声行動認識部が認識したユーザの発声行動に応じて音声コンテンツに対するユーザの嗜好度を決定し前記嗜好度データベースに保存する嗜好度判定部と、
前記嗜好度データベースを参照し、ユーザの嗜好度が閾値を超えた音声コンテンツをプレイリストに追加するプレイリスト作成部とを備えた音声コンテンツ自動選択装置。
【請求項４】
音声コンテンツが少なくとも１つ以上の音声と画像または映像から成る請求項〜請求項３のいずれか一項に記載の音声コンテンツ自動選択装置。
【請求項５】
発声行動認識部がユーザが発声する歌声またはハミングまたはスキャットまたはリズムカウントまたは口笛のいずれか１種類以上の行動を発声音声により認識する請求項〜請求項３のいずれか一項に記載の音声コンテンツ自動選択装置。
【請求項６】
発声行動認識部がユーザが発声する歌声またはハミングまたはスキャットまたはリズムカウントまたは口笛のいずれか１種類以上の行動を骨音により認識する請求項〜請求項３のいずれか一項に記載の音声コンテンツ自動選択装置。
【請求項７】
発声行動認識部がユーザが発声する歌声またはハミングまたはスキャットまたはリズムカウントまたは口笛のいずれか１種類以上の行動を振動により認識する請求項〜請求項３のいずれか一項に記載の音声コンテンツ自動選択装置。
【請求項８】
嗜好度判定部が前記発声行動認識部が認識したユーザの発声行動の回数および継続時間に応じて音声コンテンツに対するユーザの嗜好度を決定する請求項〜請求項３のいずれか一項に記載の音声コンテンツ自動選択装置。
【請求項９】
プレイリスト作成部が前記ユーザの嗜好度が閾値以下の音声コンテンツをプレイリストから削除する請求項〜請求項３のいずれか一項に記載の音声コンテンツ自動選択装置。
【発明の詳細な説明】
【技術分野】
【０００１】
本発明はユーザの本質的な嗜好に応じたプレイリストを自動生成する音声コンテンツ自動選択装置に関するものである。
【背景技術】
【０００２】
従来の音声コンテンツ自動選択装置としては、ユーザの操作履歴から自動的にプレイリストを作成するものがあった（例えば、特許文献１参照）。
【０００３】
図６は、前記特許文献１に記載された従来の音声コンテンツ自動選択装置の構成図を示すものである。
【０００４】
図６において、６０は従来の音声コンテンツ自動選択装置、６１は履歴情報取得部、６２はプレイリスト作成部、６３は記録媒体、６４は音声再生部を表している。
【０００５】
従来の音声コンテンツ自動選択装置６０では、まず履歴情報取得部６１が、ユーザが音声コンテンツを再生する順序や再生回数といったユーザが行う機器操作の履歴情報を取得する。次にプレイリスト作成部６２は取得した履歴情報をもとに、音声コンテンツを連続自動再生するためのプレイリストを作成し、記録媒体６３に保存する。
【０００６】
音声再生部６４は記録媒体６３から読み出したプレイリストに従って、音声コンテンツを連続自動再生する、という処理を行っていた。
【特許文献１】特開２００５−４９３６号公報
【発明の開示】
【発明が解決しようとする課題】
【０００７】
しかしながら前記従来の構成では、ユーザが行った機器操作の履歴をもとにプレイリストを作成するため、ユーザが積極的な機器操作を行わずに、保存されている曲を最初から順に受動的に聴く場合には、ユーザが曲に対して感じる本質的な嗜好傾向がプレイリストに十分に反映されない、という課題を有していた。
【０００８】
本発明は前記従来の課題を解決するもので、ユーザが機器操作を行わない場合にも、ユーザが曲に合わせて行う発声行動を認識することにより、ユーザの本質的な嗜好に合ったプレイリストを自動生成する音声コンテンツ自動選択装置を提供することを目的とする。
【課題を解決するための手段】
【０００９】
前記従来の課題を解決するために、本発明の音声コンテンツ自動選択装置は、音声コンテンツを再生する音声再生部と、ユーザが音声コンテンツに合わせて行う発声行動を認識する発声行動認識部と、前記発声行動認識部が認識したユーザの発声行動に応じて音声コンテンツに対するユーザの嗜好度を決定する嗜好度判定部と、ユーザの嗜好度が閾値を超えた音声コンテンツをプレイリストに追加し、ユーザの嗜好度が閾値以下の音声コンテンツをプレイリストから削除するプレイリスト作成部とを有する。
【００１０】
本構成によって、ユーザが音声コンテンツに合わせて行う発声行動を認識し、音声コンテンツに対するユーザの嗜好度を判定し、プレイリストを自動生成することができる。
【発明の効果】
【００１１】
本発明の音声コンテンツ自動選択装置によれば、ユーザが曲に合わせて歌を口ずさむ、口笛を吹く、曲を聴きながらスキャットやハミングを重ねる、リズムをカウントする、等のユーザが行う自然発生的な発声行動を認識し、曲に対するユーザの嗜好度を判定することにより、ユーザの本質的な嗜好傾向に適合したプレイリストを自動生成することができる。
【００１２】
また、ユーザが聴き飽きたり、別のジャンルの曲に興味が移行した場合でも、本発明の音声コンテンツ自動選択装置によれば、発声行動により判定される嗜好度が閾値に満たない曲をプレイリストから削除するために、ユーザの現在の嗜好傾向の変化に柔軟に対応したプレイリストを自動生成することができる。
【００１３】
さらに、プレイリストをユーザが自分の意思で生成しようとする場合でも、ユーザによる機器操作が必要ないため、ハンズフリーなユーザインターフェースを提供することができる。
【発明を実施するための最良の形態】
【００１４】
以下本発明の実施の形態について、図面を参照しながら説明する。
【００１５】
（実施の形態）
図１は、本発明の実施の形態における音声コンテンツ自動選択装置の構成図である。
【００１６】
図１において１１は音声再生部で、音声コンテンツを再生する。１２は発声行動認識部で、音声再生部１１から入力した再生音声と、外部入力された音声を比較し、再生された音声コンテンツに合わせてユーザが行った発声行動を認識し、発声行動の有無や回数および継続時間から成る発声行動情報を出力する。１３は嗜好度データベース部で、各音声コンテンツに対するユーザの嗜好度情報を保存しておく。１４は嗜好度判定部で、発声行動認識部１２から入力した発声行動情報に基づいて音声コンテンツに対するユーザの嗜好度を判定し、嗜好度データベース部１３に保存する。１５はプレイリスト作成部で、嗜好度データベース部１３に保存されている嗜好度を参照し、音声コンテンツのプレイリストを作成する。
【００１７】
図２は、本実施の形態における音声コンテンツ自動選択装置の処理フロー図である。
【００１８】
図３は、嗜好度データベース部１３が保持しているテーブルである。
【００１９】
図４は、本実施の形態における音声コンテンツ自動選択装置が車載システムとして搭載されたイメージ図である。
【００２０】
以下、本実施の形態における音声コンテンツ自動選択装置の詳細な動作について、図１、図３、図４および図２の処理フローを用いて説明する。
【００２１】
図４において、４０は音声コンテンツ自動選択装置で、４１は発声行動認識部である。
【００２２】
まず、音声コンテンツ自動選択装置４０の音声再生部１１より、音声コンテンツが再生される。
【００２３】
ユーザは車を運転しながら音声再生部１１から再生される音声コンテンツを聴き、曲に合わせてサビの部分を口ずさんだり、時にはメロディーに重ねてスキャットやハミングを行ったり、ノリの良い曲の場合には、リズムカウントをしたり、口笛を吹いたりといった発声行動を行う（処理２０）。
【００２４】
発声行動認識部４１は集音した外部音声のピッチ周波数を解析し、音声コンテンツのピッチ周波数と比較することにより、音声コンテンツに合わせてユーザが発声行動を行ったかどうかを認識する（処理２１）。
【００２５】
さらに、音声コンテンツに合わせたユーザの発声行動であると認識した場合には、音声コンテンツに対して行った発声行動の回数Ｎと、発声行動の継続時間Ｔを計測する（処理２２）。
【００２６】
嗜好度データベース部１３には、テーブル３０に示される情報が保持されている。
【００２７】
テーブル３０において、各音声コンテンツ毎に、アルバム名やプレイリスト名やダウンロード元を表す媒体識別子、オリジナルの媒体を区別する媒体種別、音声コンテンツのフォーマットを識別するコンテンツ種別、ＩＤ、音声コンテンツ名、過去に再生された回数、ハミングや歌を口ずさむ行為、スキャット、リズムカウント、口笛などのそれぞれの発声行動をユーザが行った度合いを表す度数、および総合嗜好度が保存されている。
【００２８】
嗜好度判定部１４は、処理２２で計測された発声行動回数Ｎと発声行動の継続時間Ｔを用いて各発声行動の度数を、（式１）で算出し、テーブル３０に保存する。
【００２９】
各度数＝Ｎ＊Ｔ  ・・・（式１）
さらに、任意の係数Ｎｎを用いて総合嗜好度を（式２）で算出し、テーブル３０に保存する（処理２４）。
【００３０】
総合嗜好度＝Ｎ０＊（ハミング／歌度数）＋Ｎ１＊（スキャット度数）
＋Ｎ２＊（リズムカウント度数）＋Ｎ３＊（口笛度数）          ・・・（式２）
プレイリスト作成部１５は、テーブル３０を参照し、総合嗜好度が閾値７０を超えた音声コンテンツをプレイリストに追加する（処理２４、２５）。
【００３１】
さらに、現在プレイリストに存在する音声コンテンツの総合嗜好度が、閾値７０以下の場合には、プレイリストから該当する音声コンテンツを削除する（処理２４，２６）。
【００３２】
かかる構成によれば、音声コンテンツを再生する音声再生部と、ユーザが音声コンテンツに合わせて行う発声行動を認識する発声行動認識部と、前記発声行動認識部が認識したユーザの発声行動に応じて音声コンテンツに対するユーザの嗜好度を決定する嗜好度判定部と、ユーザの嗜好度が閾値を超えた音声コンテンツをプレイリストに追加し、ユーザの嗜好度が閾値以下の音声コンテンツをプレイリストから削除するプレイリスト作成部とを有し、ユーザが行う発声行動を認識することにより音声コンテンツに対するユーザの嗜好度を判定し、嗜好度に応じたプレイリストを作成することにより、ユーザの本質的な嗜好傾向に適合したプレイリストを自動生成することができる。
【００３３】
また、ユーザが聴き飽きたり、別のジャンルの曲に興味が移行した場合でも、ユーザの現在の嗜好傾向の変化に柔軟に対応したプレイリストを自動生成することができる。
【００３４】
なお、本実施の形態において、発声行動認識部１２は、ユーザの発声行動を外部入力された音声により認識したが、外部入力されたユーザの骨音や身体の振動によりユーザの発声行動を認識してもよい。
【００３５】
図５は本実施の形態における音声コンテンツ自動選択装置が携帯型ＡＶプレーヤーとして実装されたイメージ図である。
【００３６】
図５において５０は音声再生部１１、嗜好度データベース部１３、嗜好度判定部１４、およびプレイリスト作成部１５が一体化した装置である。
【００３７】
５２は発声行動認識部で、マイクを構成要素とし、ユーザの歌声やハミング、口笛といった外部音声を集音し、ユーザの発声行動を認識する。また５２は、振動センサを構成要素とし、鎖骨の窪みおよび声帯近辺に密着した形状により声帯の振動を感知することで、ユーザの発声行動を認識する。
【００３８】
５１は発声行動認識部でイヤホンを兼ねている。耳の内部に密着した形状により骨音を集音することで、ユーザの発声行動を認識する。
【産業上の利用可能性】
【００３９】
本発明にかかる音声コンテンツ自動選択装置は、音声コンテンツおよび音声付きコンテンツに対するユーザの本質的な嗜好傾向に適合したプレイリストを自動生成する機能を有し、携帯型ＡＶプレーヤーや楽曲再生機能付き携帯電話として有用である。
【００４０】
また、プレイリストを作成するためのユーザの手動による機器操作が必要無いため、ハンズフリーなユーザインターフェースを有した車載ＡＶシステムとしての用途にも応用できる。
【図面の簡単な説明】
【００４１】
【図１】本発明の実施の形態における音声コンテンツ自動選択装置の構成図
【図２】本実施の形態における音声コンテンツ自動選択装置の処理フロー図
【図３】嗜好度データベース１３が保持しているテーブルを示す図
【図４】本実施の形態における音声コンテンツ自動選択装置が車載システムとして搭載されたイメージ図
【図５】本実施の形態における音声コンテンツ自動選択装置が携帯型ＡＶプレーヤーとして実装されたイメージ図
【図６】従来の音声コンテンツ自動選択装置の構成図
【符号の説明】
【００４２】
１０，４０，５０    本発明の実施の形態における音声コンテンツ自動選択装置
１１    音声再生部
１２，４１，５１，５２    発声行動認識部
１３    嗜好度データベース部
１４    嗜好度判定部
１５    プレイリスト作成部
３０    嗜好度データベースが保持するテーブル
６０    従来の音声コンテンツ自動選択装置
６１    履歴情報取得部
６２    プレイリスト作成部
６３    記録媒体
６４    音声再生部
【図１】
2006331533.tif 000003
【図２】
2006331533.tif 000004
【図３】
2006331533.tif 000005
【図４】
2006331533.tif 000006
【図５】
2006331533.tif 000007
【図６】
2006331533.tif 000008